(57)【要約】【課題】  旗面の表示状態の安定化を図り、有効に宣伝効果を発揮することができる旗を提供すること。【解決手段】  支持用ポール２１，２２が挿通される袋縫い部１２，１３を有する旗１であって、袋縫い部１２，１３に補強部材３を設け、当該袋縫い部１２，１３を旗面部分１１よりも高い強度にて形成したこと。【選択図】図１
2006292825.tif 000002
【特許請求の範囲】
【請求項１】
支持用ポールが挿通される袋縫い部を有する旗であって、
前記袋縫い部を、旗面部分よりも高い強度にて形成した、ことを特徴とする旗。
【請求項２】
前記袋縫い部に補強部材を設けた、ことを特徴とする請求項１記載の旗。
【請求項３】
前記補強部材は、所定の厚みを有する生地である、ことを特徴とする請求項２記載の旗。
【請求項４】
前記補強部材は、前記旗面部分を形成する生地よりも厚い生地である、ことを特徴とする請求項３記載の旗。
【請求項５】
前記補強部材を、旗の高さ方向に沿って形成された前記袋縫い部に設けた、ことを特徴とする請求項１，２，３又は４記載の旗。
【請求項６】
前記補強部材を、旗の高さ方向に沿って所定の幅を有する帯状に形成した、ことを特徴とする請求項５記載の旗。
【請求項７】
前記補強部材を、旗の高さ方向における上端側の一部に設けた、ことを特徴とする請求項６記載の旗。
【請求項８】
前記補強部材を、前記袋縫い部の内側に設けた、ことを特徴とする請求項１，２，３，４，５，６又は７記載の旗。
【発明の詳細な説明】
【技術分野】
【０００１】
本発明は、旗にかかり、特に、袋縫い部に挿通されたポールにて支持される旗に関する。
【背景技術】
【０００２】
従来より、店舗などの広告媒体として、店先や道路周辺などに配置されるのぼり旗が使用される。こののぼり旗は、例えば、長方形に形成されており、その上端部と側端部がポールにて支持されている。これにより、のぼり旗は、旗面が広げられた状態に維持され、当該旗面に描画された宣伝内容が通行人などに見やすく向けられる。
【０００３】
そして、旗を支持するためのポールが挿通される取付部として、従来より「ちち」と呼ばれる輪状に形成された部材が用いられており、旗の上端部と側端部に所定の間隔にて複数設けられている。このような取付部（「ちち」）の一例を、下記の特許文献１に示す。また、ポールが挿通される取付部の他の構成として、下記の特許文献２に示すように、挿通されたポール全体を覆うよう筒状に袋縫いされたものも用いられている。
【０００４】
【特許文献１】特許第３２６９７９５号公報
【特許文献２】実用新案登録第３０６５１９３号公報
【発明の開示】
【発明が解決しようとする課題】
【０００５】
しかしながら、旗をポールに取り付ける取付部が、上記特許文献１に示すような輪状の「ちち」の場合では、旗が風に煽られると、旗の下端部分がポールに沿って捲り上がってしまい、旗面に描画された広告内容が隠れてしまう、という問題が生じていた。さらに、輪状の「ちち」は強度も弱く、当該「ちち」が破けてしまう、という問題も生じていた。また、特許文献２に示す袋縫い状の取付部では、強度の点では多少改善されているものの、依然として風に煽られることによって下端部が捲り上がってしまうという不都合が生じ、旗面に描画された宣伝内容を明確に表示させることができず、旗としての機能が失われる、という問題が生じていた。
【０００６】
このため、本発明では、上記従来例の有する不都合を改善し、特に、旗面の表示状態の安定化を図り、有効に宣伝効果を発揮することができる旗を提供することをその目的とする。
【課題を解決するための手段】
【０００７】
そこで、本発明の一形態である旗は、支持用ポールが挿通される袋縫い部を有する旗であって、袋縫い部を、旗面部分よりも高い強度にて形成した、ことを特徴としている。かかる構成によると、風などの外力によって袋縫い部分がポールに沿って移動する力が生じたとしても、これに対する抵抗力が増しているため、かかる移動を抑制することができる。従って、旗の旗面部分が広げられた状態に維持することができるため、旗面に描画された内容を明確に表示させることができ、旗としての宣伝効果を有効に発揮することができる。
【０００８】
また、袋縫い部の強度を増す具体的な手段として、袋縫い部に補強部材を設ける、と望ましい。そして、補強部材を、所定の厚みを有する生地にて形成するとなお望ましく、さらに、補強部材を、旗面部分を形成する生地よりも厚い生地にて形成すると望ましい。これにより、袋縫い部に生地などの補強部材を設けることで、当該袋縫い部の強度を増すことができ、簡易な方法及び低コストにて、上述したように、旗の旗面部分を広げられた状態に維持することができる。特に、補強部材を、旗面部分を形成する生地よりも厚い生地にて形成することで、低コストにてより有効に上記効果を得ることができる。
【０００９】
また、補強部材を、旗の高さ方向に沿って形成された袋縫い部に設けると望ましい。これにより、旗の下端部が、当該旗の高さ方向に伸びるポールに沿って捲り上がることを有効に抑制することができ、旗の表示状態を維持することができる。
【００１０】
さらに、補強部材を、上述したように旗の高さ方向に形成された袋縫い部に設ける場合に、旗の高さ方向に沿って所定の幅を有する帯状に形成するとなお望ましい。そして、このとき、補強部材を、旗の高さ方向において上端側の一部に設けるとよい。このように補強部材を袋縫い部の一部のみ設けても、ポールに沿った旗の捲り上がりに対する抵抗力を維持することができるため、上述同様に旗の表示状態を維持できると共に、補強部材の材料コストの低減と当該補強部材の取り付けの手間を抑制することができる。
【００１１】
また、補強部材を、袋縫い部の内側に設けると望ましい。これにより、補強部材が外部に露出しないため、旗の外観に影響を与えることがなく、旗の美観を維持することができる。
【発明の効果】
【００１２】
本発明は、以上のように構成され機能するので、これによると、風などの外力によって、袋縫い部分がポールに沿って移動することが抑制されるため、旗の旗面部分が常時適切に広げられた状態で保持され、旗面に描画された内容を明確に表示させることができ、旗としての宣伝効果を有効に発揮することができる、という従来にない優れた効果を有する。
【発明を実施するための最良の形態】
【００１３】
本発明は、旗を支持するポールが挿通される袋縫い部が当該ポールに沿って移動しないよう、袋縫い部の強度を増加させることに特徴を有する。以下、具体的な構成及び作用を、実施例を参照して説明する。なお、実施例では、店舗などの広告として店先に設置するのぼり旗を、本発明である旗の一例として説明するが、スポーツ応援用の旗など、ポールにて支持され、このポールが挿通される袋縫い部を有する旗であれば、いかなる用途の旗に適用してもよい。
【実施例１】
【００１４】
本発明の第１の実施例を、図１乃至図３を参照して説明する。図１は、本実施例におけるのぼり旗の全体構成を示す図であり、図２は、その各部分断面図を示す。図３は、本実施例におけるのぼり旗の使用状態を示す図である。
【００１５】
［構成］
図１に示すように、本発明におけるのぼり旗１は、二等辺三角形状であり、その底辺部分が上端側に位置するよう使用されるものである。ここで、図１（ａ）は、のぼり旗１を正面から見た図であり、図１（ｂ）は、のぼり旗１を図１（ａ）の背面側から見た図である。具体的に、本実施例におけるのぼり旗１は、幅（上端部分（底辺））が９００ｍｍ、高さが１８００ｍｍである。
【００１６】
そして、のぼり旗１は、広告用の文字や図面が描画される旗の本体部分である旗面部１１と、のぼり旗１を支持する支持用ポールが挿通される縦袋縫い部１２及び横袋縫い部１３（袋縫い部）と、により構成されている。なお、本実施例におけるのぼり旗１は、例えば、０．２ｍｍの厚みを有するトロピカル生地にて形成されている。但し、旗は、ポンジ生地などいかなる生地、材料にて形成されていてもよい。
【００１７】
そして、上記縦袋縫い部１２は、縦ポール２１が挿通可能な径を有する筒状であり、のぼり旗１の中央に、高さ方向に沿って一様に形成されている。そして、この縦袋縫い部１２には、後述するように、のぼり旗１を高さ方向に支持する縦ポール２２が挿通されることとなる。なお、縦袋縫い部１２は、例えば、周囲が１４０ｍｍに形成されている。また、上記横袋縫い部１３は、横ポール２２が挿通可能な径を有する筒状であり、のぼり旗１の上端部（底辺部分）に、中央の切除部を除いて一様に形成されている。これにより、のぼり旗１を上端部にて横方向に支持する横ポール２１が挿通されることとなる。
【００１８】
ここで、支持用ポール２は、上記縦袋縫い部１２に挿通される縦ポール２１と、上記横袋縫い部１３に挿通される横ポール２２と、によって、上記各袋縫い部１２，１３と同様の形状、すなわち、略Ｔ字上に形成されている。なお、支持用ポール２は、各袋縫い部１２，１３に挿通可能なよう縦ポール２１と横ポール２２とが着脱自在に構成されている。
【００１９】
そして、上記縦袋縫い部１２には、その上端部側の一部の内側に、補強部材３が取り付けられている（図１（ｂ）参照）。なお、この補強部材３は、縦袋縫い部１２に縫い付けられたり、貼り付けられるなど、任意の方法にて取り付けられている。この補強部材３は、例えば、０．４２ｍｍのターポリン生地（ビニール生地）にて形成されている。すなわち、上述した旗面部分１１の生地よりも厚い生地が縫い付けられていることとなり、縦袋縫い部１２の強度が増すこととなる。
【００２０】
ここで、図１，図２を参照して、さらに補強部材３について詳述する。図２（ａ）は、図１（ｂ）におけるＡ−Ａ断面図である。図２（ｂ）は、図１（ｂ）におけるＢ−Ｂ断面図である。また、図２（ｃ）は、図２（ｂ）において断面していない状態におけるＣ−Ｃ断面図である。これらの図に示されているように、本実施例における補強部材３は、縦袋縫い部１２の内周の一部の幅（内周の約４分の１の幅）を有する帯状に形成されており、縦袋縫い部１２の上端部側（底辺側）付近から下方に向かって４００ｍｍの長さを有する形状となっている。
【００２１】
但し、補強部材３の形状は、上記形状に限定されない。例えば、帯状である補強部材３の縦袋縫い部１２に沿った長さは、当該縦袋縫い部１２の長さの範囲内において任意である。また、縦袋縫い部１２の内周に沿った方向の補強部材３の幅は、当該袋縫い部１２の周囲の範囲内であれば任意である。つまり、補強部材３の幅は、内周の半分やそれ以上を占める幅であってもよく、また、その長さは袋縫い部１２の全体を示す長さであってもよい。
【００２２】
［動作］
次に、上記構成ののぼり旗１の組み立て動作、及び、使用時ののぼり旗１の状態について、図３を参照して説明する。図３は、のぼり旗１の使用状態を示す写真である。
【００２３】
まず、のぼり旗１の組み立て動作を説明する。上述したように、支持用ポール２を構成する縦ポール２１と横ポール２２とは着脱自在であるため、横ポール２２と縦ポール２１とを切り離す。具体的には、図１（ｂ）に示すように、横ポール２２に備えられたキャップ部２２ａの下部が縦ポール２１と切り離し可能になっているため、かかる箇所にて切り離す。そして、このキャップ部２２ａは、横ポール２２に沿って移動可能であるため、このキャップ部２２ａを適宜移動させて、横ポール２２の両端部を横袋縫い部１３の中央に形成された切れ目（切除部）から、当該横袋縫い部１３にそれぞれ挿通させる。
【００２４】
その後、縦袋縫い部１２の下端側から縦ポール２１を挿通させ、その上端部付近にて、すでに横袋縫い部１３に挿通されている横ポール２２に備えられたキャップ部２２ａの下端部に、縦ポール２１の端部を連結する。これにより、のぼり旗１は、図１に示すように、高さ方向が縦ポール２１にて支持されると共に、幅方向は横ポール２２にて支持され、旗面１１が広げられた状態となる。
【００２５】
次に、のぼり旗１の使用状態について説明する。のぼり旗１が例えば屋外に設置されると、風などの外力が加わることによって、縦袋縫い部１２には縦ポール２１に沿って上方に移動する力が付勢されうる。特に、のぼり旗１の下端部（頂点部分）が縦ポール２１に沿って捲り上がる力が付勢されうる。かかる場合において、従来例の旗では、縦袋縫い部の下端部が縦ポールに沿って上方に移動し、これにより縦袋縫い部１２が蛇腹状に変形するため、旗自体が捲り上がった状態となり、その旗面部分が適切に表示されていないこととなる。
【００２６】
しかしながら、本発明における旗１では、縦袋縫い部１２が上記図１，２に示すように補強部材３によってその強度が増しているため、当該縦袋縫い部分１２がポールに沿って上方に移動することが抑制される。従って、のぼり旗１の旗面部分１１が広げられた状態を維持することができるため、旗面に描画された内容を明確に表示させることができ、旗としての宣伝効果を有効に発揮することができる。
【００２７】
そして、図３に、種々の構成ののぼり旗１の使用状態を示す。まず、図３（ｅ），（ｄ）は、旗全体（旗面部分１１及び袋縫い部１２，１３を含む）をすべて同じ生地にて形成したものであり、特に、図３（ｅ）は生地の厚みが薄いポンジ生地を用い、図３（ｄ）は、のぼり旗１全体を、ポンジ生地よりも厚いトロピカル生地にて形成したものである。図３（ｃ）は上記図３（ｄ）のものに、その縦袋縫い部１２の下端部に重りを取り付けた場合のものである。そして、図３（ｂ），（ａ）は、図３（ｄ）のものに、縦袋縫い部１２の上端部付近に、旗面部分１１よりも厚い生地であるターポリン生地（ビニール生地）にて形成された補強部材３を設けたものである。具体的には、図３（ｂ）は、上述した図１，２に示した約４００ｍｍの補強部材３を設けたものであり、そして図３（ａ）は約７００ｍｍの補強部材３を取り付け、さらに、縦袋縫い部１２の下端部に重りを取り付けたものである。
【００２８】
これらの縦袋縫い部１２の下端部（逆三角形状の頂点部分）の位置を見ると、特に、図３（ｂ），（ａ）のものは、図３（ｅ），（ｄ）の場合と比較して、縦袋縫い部１２の上方への移動、つまり、旗１の捲り上がりが有効に抑制されている。さらに、図３（ｃ）の重りを取り付けたものと比較しても、捲り上がりを抑制する効果が優位に表されており、さらには、図３（ａ）のものと比較しても捲り上がりを抑制する効果にほぼ相違はない。従って、重りを取り付けるなどの煩わしい作業を行う必要がなく、本実施例に示すように補強部材３を取り付けることのみで、十分に捲り上がりを抑制することができる。
【００２９】
そして、補強部材３は縦袋縫い部１２の一部のみの面積を有するものでよく、これにより十分な効果を発揮しうるため、材料コストの低減、及び、取付作業の簡略化を図ることができる。さらに、補強部材３を縦袋縫い部１２の内側に設けることで、当該補強部材３が外部に露出しないため、旗の外観に影響を与えることがなく、旗の美観を損なうことを抑制することができる。
【００３０】
ここで、上記では、のぼり旗１の縦袋縫い部１２のみに補強部材３を取り付ける場合を例示したが、横袋縫い部１３に取り付けてもよい。これにより、のぼり旗１が幅方向に横ポール２２に沿って移動してしまうことを抑制でき、旗面部分１１が適切に表示されなくなることを抑制することができる。
【実施例２】
【００３１】
次に、本発明の第２の実施例を、図４を参照して説明する。図４は、本実施例におけるのぼり旗１０１の構成を示す図であり、図４（ａ）は、正面図を示し、図４（ｂ）は、Ｄ−Ｄ断面図を示す。
【００３２】
本実施例におけるのぼり旗１０１は、長方形状であり、その短辺が上端部及び下端部に位置し、長辺が高さ方向に位置して使用されるものである。そして、のぼり旗１０１は、広告用の文字や図面が描画される旗本体部分である旗面部分１１１と、のぼり旗１０１を支持する支持用ポールが挿通される縦袋縫い部１１２及び横袋縫い部１１３と、により構成されている。なお、本実施例におけるのぼり旗１は、実施例１と同様に、トロピカル生地にて形成されている。
【００３３】
そして、図４（ａ）に示すように、上記縦袋縫い部１１２は、のぼり旗１の一方の長辺（縦方向の一辺）に、高さ方向に沿って筒状に形成されている。また、上記横袋縫い部１３は、のぼり旗１の上端側の短辺に筒状に形成されている。これにより、のぼり旗１０１を支持する縦ポール１２１及び横ポール１２２が挿通可能となる。
【００３４】
そして、上記縦袋縫い部１１２には、その内側に、補強部材３が取り付けられている。なお、この補強部材１０３は、例えば、０．４２ｍｍのターポリン生地（ビニール生地）にて形成されており、縦袋縫い部１１２に縫い付けられたり、貼り付けられるなど、任意の方法にて取り付けられている。そして、補強部材３は、具体的には、図４（ｂ）に示すように、縦袋縫い部１１２の内周の半分以上を覆う幅（内周の約４分の３の幅）を有する帯状に形成されており、縦袋縫い部１２の上端部付近から下端部付近にまで伸びる長さを有している（図４（ａ）を参照）。
【００３５】
これにより、のぼり旗１の縦袋縫い部１１２は、全体的にその強度が増して形成されているため、当該縦袋縫い部１１２が縦ポール１２１に沿って上方に移動することが抑制される。すなわち、縦袋縫い部１１２の下端部が上方に移動して、当該縦袋縫い部１１２自体が蛇腹状となることが抑制される。従って、のぼり旗１０１の旗面部分１１１が広げられた状態を維持することができるため、旗面に描画された内容を適切に表示させることができ、旗としての宣伝効果を有効に発揮することができる。
【実施例３】
【００３６】
上記では、のぼり旗１，１０１の袋縫い部１２，１３，１１２，１１３に補強部材３，１０３を取り付けてその強度を増すことを説明したが、本発明は、補強部材３，１０３を取り付けることだけに限定されない。袋縫い部１２，１３，１１２，１１３を旗面部分１１，１１１よりも強度の高い部材にて形成、例えば、旗面部分１１，１１１の生地よりも厚い生地にて形成して、袋縫い部１２，１３，１１２，１１３の強度を増してもよい。このようにしても、上述同様に、袋縫い部１２，１３，１１２，１１３が各ポール２１，２２，１２１，１２２に沿って移動することが抑制されるため、のぼり旗１，１０１の旗面部分１１，１１１が広げられた状態を維持することができる。そして、かかる場合には、旗全体を厚手の生地にて形成する必要がないため、材料コストの抑制をも図ることができる。
【００３７】
ここで、本発明に用いられる旗の形状は、上記各実施例にて例示した形状に限定されない。例えば、旗の形状は、図１（ａ）に示した二等辺三角形の半分に当たる直角三角形形状であってもよく、縦袋縫い部を挟んで長方形と三角形とを組み合わせた形状など、複雑な多角形形状であってもよい。また、袋縫い部の形成位置も上述した位置に形成されていることに限定されない。
【産業上の利用可能性】
【００３８】
本発明は、店舗の宣伝に用いるのぼり旗をはじめとして、スポーツ競技における応援用旗など種々の旗にも利用することができ、産業上の利用可能性を有する。
【図面の簡単な説明】
【００３９】
【図１】実施例１における旗の構成を示す図である。図１（ａ）は正面から見た図を示し、図１（ｂ）は裏側から見た図を示す。
【図２】図１に開示した旗の各部分の断面図である。図２（ａ）は図１（ｂ）におけるＡ−Ａ断面図を示し、図２（ｂ）は図１（ｂ）におけるＢ−Ｂ断面図を示す。図２（ｃ）は図２（ｂ）におけるＣ−Ｃ断面図を示す。
【図３】図１，２に開示した旗と他の旗との使用状態を示す写真である。図３（ａ）〜（ｅ）は、それぞれ異なる構成の旗であって、各旗が風にて煽られている様子を示す。
【図４】実施例２における旗の構成を示す図である。図４（ａ）は正面から見た図を示し、図４（ｂ）は図４（ａ）におけるＤ−Ｄ断面図を示す。
【符号の説明】
【００４０】
１，１０１  のぼり旗（旗）
２，１０２  支持用ポール
３，１０３  補強部材
１１，１１１  旗面部
１２，１１２  縦袋縫い部（袋縫い部）
１３，１１３  横袋縫い部（袋縫い部）
２１，１２１  縦ポール（支持用ポール）
２２，１２２  横ポール（支持用ポール）
【図１】
2006292825.tif 000003
【図２】
2006292825.tif 000004
【図４】
2006292825.tif 000005
【図３】
2006292825.tif 000006